(57)【要約】【課題】ケースの加工歪をなくしつつ、塵埃の侵入を抑制することを課題とする。【解決手段】記録ディスクメディア３０のカートリッジケース１０は、記録ディスクメディア３０の上方に配置されて当該カートリッジケース１０の上壁を構成する上シェル１１と、前記記録ディスクメディア３０の下方に配置されて当該カートリッジケースの下壁を構成する下シェル１２と、前記記録ディスクメディア３０の半径方向外側であって、前記上シェル１１と前記下シェル１２との間に配置されてカートリッジケース１０の周壁の少なくとも一部を構成するフレーム部材１３を有し、前記フレーム部材１３は、前記上シェル１１及び前記下シェル１２の端縁にそれぞれ当接する当接部１４を有することを特徴とする。【選択図】図１
2007141327.tif 000002
【特許請求の範囲】
【請求項１】
記録ディスクメディアと、
前記記録ディスクメディアを回転自在に収容するとともに、当該記録ディスクメディアを外部に臨ませるためのアクセス用開口部が形成されたカートリッジケースと、
前記カートリッジケース内で回動することで前記アクセス用開口部を開閉するロータリシャッタと、を備える記録ディスクカートリッジであって、
前記カートリッジケースは、
前記記録ディスクメディアの上方に配置されて当該カートリッジケースの上壁を構成する上シェルと、
前記記録ディスクメディアの下方に配置されて当該カートリッジケースの下壁を構成する下シェルと、
前記記録ディスクメディアの半径方向外側であって、前記上シェルと前記下シェルとの間に配置されてカートリッジケースの周壁の少なくとも一部を構成するフレーム部材を有し、
前記フレーム部材は、前記上シェル及び前記下シェルの端縁にそれぞれ当接する当接部を有することを特徴とする記録ディスクカートリッジ。
【請求項２】
前記当接部の高さは、前記上シェル及び前記下シェルの厚さ以上の寸法であることを特徴とする請求項１に記載の記録ディスクカートリッジ。
【請求項３】
前記上シェル及び前記下シェルは複数のボス孔を備え、
前記フレーム部材は前記複数のボス孔と係合する複数のボスを備えており、
前記ボス孔に前記ボスを嵌合し、かしめることにより上シェル、下シェル及びフレーム部材を一体化したことを特徴とする請求項１または請求項２に記載の記録ディスクカートリッジ。
【発明の詳細な説明】
【技術分野】
【０００１】
本発明は、記録ディスクカートリッジに関し、より詳しくは記録ディスクメディアと、記録ディスクメディアを収容するカートリッジケースとを備える記録ディスクカートリッジに関する。
【背景技術】
【０００２】
従来、ポリエステルシートなどからなる円盤状の支持体の両面に磁性層を形成したフレキシブルな磁気ディスクメディアや、光記録ディスクメディア、相変化ディスクメディアなどの記録ディスクメディアをカートリッジケースに収容した記録ディスクカートリッジが知られている。これらの記録ディスクメディアは、年々、高密度記録化されており、その記録トラック幅はより狭くなってきているとともにその記録長はより短くなってきている。
【０００３】
従来の記録ディスクカートリッジとしては、図８（ａ）に示すように、その一部の周壁が記録ディスクメディア８３０の形状に沿って円弧状に形成されたものが知られている（特許文献１参照）。そして、従来の記録ディスクカートリッジ８００のカートリッジケース８１０は、金属プレートに絞り加工を施すことにより、前記周壁に相当する円弧状の壁部８０２を上シェル８１１と下シェル８１２に一体形成した上で、上シェル８１１と下シェル８１２とを上下から突き合せて構成されている（図８（ｂ）参照）。
【特許文献１】米国特許第６２５６１６８号明細書
【発明の開示】
【発明が解決しようとする課題】
【０００４】
ところで、金属プレートに絞り加工を施すことで円弧状の壁部８０２を形成した場合、上シェル８１１及び下シェル８１２の平坦面８０１に、反りやうねり等の歪みが生じやすい。
反りやうねり等の歪みが発生すると、記録ディスクメディア８３０の回転動作が不安定となり、トラッキングエラーの原因となる。この問題は、記録ディスクメディア８３０が高密度記録化されるほど顕著になる。
【０００５】
この場合には、例えば、上シェル８１１及び下シェル８１２とは別部材（以下、「フレーム部材」という）で壁部を形成することで絞り加工をなくし、反りやうねり等の歪みを排除することで、記録ディスクメディア８３０の回転動作を円滑にすることが考えられる。
【０００６】
しかしながら、フレーム部材をプラスチックで形成すると、プラスチックは収縮するため、図９に示すように、上シェル８１１及び下シェル８１２と、フレーム部材８５０との間に隙間８６０ができてしまう。そして、このような隙間８６０ができると、その隙間８６０から侵入した塵埃が磁気ディスクメディアと磁気ヘッド（図示せず）との間に入り込むことによって、記録再生エラーが生じやすくなるという問題がある。
【０００７】
本発明は、上記問題点に鑑みてなされたものであり、ケースの加工歪をなくしつつ、塵埃の侵入を抑制することを課題とする。
【課題を解決するための手段】
【０００８】
前記した課題を解決するために、本発明の記録ディスクカートリッジは、記録ディスクメディアと、前記記録ディスクメディアを回転自在に収容するとともに、当該記録ディスクメディアを外部に臨ませるためのアクセス用開口部が形成されたカートリッジケースと、前記カートリッジケース内で回動することで前記アクセス用開口部を開閉するロータリシャッタと、を備える記録ディスクカートリッジであって、前記カートリッジケースは、前記記録ディスクメディアの上方に配置されて当該カートリッジケースの上壁を構成する上シェルと、前記記録ディスクメディアの下方に配置されて当該カートリッジケースの下壁を構成する下シェルと、前記記録ディスクメディアの半径方向外側であって、前記上シェルと前記下シェルとの間に配置されてカートリッジケースの周壁の少なくとも一部を構成するフレーム部材を有し、前記フレーム部材は、前記上シェル及び前記下シェルの端縁にそれぞれ当接する当接部を有することを特徴とする記録ディスクカートリッジである。
【０００９】
本発明の構成によれば、カートリッジケースを上シェル及び下シェルとフレーム部材とから形成することで、金属プレートの絞り加工による反り等の歪みを排除することができる。これにより、記録ディスクメディアの回転動作が円滑になる。さらに、上シェル及び下シェルの端縁に当接する当接部をフレーム部材に設けることで、フレーム部材を上シェル及び下シェルとの間に配置した際に生じる塵埃の侵入経路を塞ぐことができる。これにより、塵埃の侵入による読み取りエラーを防止することができる。
【００１０】
また、本発明の記録ディスクカートリッジは、前記当接部の高さを、前記上シェル及び前記下シェルの厚さ以上の寸法とした構造とすることもできる。
【００１１】
かかる構成によれば、当接部の高さが記録ディスクカートリッジの上シェル及び下シェルの厚さ以上の寸法であるので、上シェル及び下シェルのエッジで手を傷つけることを防止できる。また、当接部の高さが記録ディスクカートリッジの上シェル及び下シェルの厚さ以上の寸法であるので、誤って落としても、フレーム部材が端縁にかかるショックを吸収し、上シェル及び下シェルの変形による歪み等を防ぐことができる。
【００１２】
さらに本発明の記録ディスクカートリッジは、前記上シェル及び前記下シェルは複数のボス孔を備え、前記フレーム部材は前記複数のボス孔と係合する複数のボスを備えており、前記ボス孔に前記ボスを嵌合し、かしめることにより上シェル、下シェル及びフレーム部材を一体化した構造とすることもできる。
【００１３】
かかる構成によれば、シェルに複数のボス孔を設け、フレーム部材に複数のボスを設けることで組み立てを容易にすることができる。また、フレーム部材の当接部が上シェル及び下シェルの端縁と当接することにより、落下の衝撃が当接部でも受け持たれるため、剪断ズレによるボスの切断を防止することができる。
【発明の効果】
【００１４】
本発明によれば、フレーム部材を設けることで、記録ディスクカートリッジの上シェル及び下シェルに絞り加工を極力施さない形状とすることが可能となり、ケースの加工歪をなくしつつ、当接部を設けることで塵埃の侵入を防止することができる。
【発明を実施するための最良の形態】
【００１５】
本発明を実施するための最良の形態について図面を参照して詳細に説明する。
参照する図面において、図１は、本実施形態に係る記録ディスクカートリッジを示す斜視図であり、（ａ）は前方斜め上方からみた図、（ｂ）は後方斜め下方からみた図をそれぞれ示している。図２は、本実施形態に係る記録ディスクカートリッジの分解斜視図である。図３は、本実施形態に係る記録ディスクカートリッジを下方からみた平面図である。図４は図１のＸ−Ｘ矢視における断面図である。図５は図２の上シェル１１とフレーム部材１３の拡大図である。図６は、本実施形態に係る記録ディスクカートリッジをドライブ装置に挿入した状態を示す斜視図である。
なお、本実施形態において方向を説明する場合は、図１に示す前、後、右、左、上、下、を基準として説明する。
【００１６】
≪記録ディスクカートリッジ１の構成≫
本実施形態に係る記録ディスクカートリッジ１は、図１及び図２に示すように、カートリッジケース１０と、このカートリッジケース１０の内部に回動可能に配置されたロータリシャッタ２０と、このロータリシャッタ２０の内部に回転自在に配置された記録ディスクメディア３０と、カートリッジケース１０の内部であってロータリシャッタ２０の下方に配置されたハブ孔シャッタ４０と、を主に備えている。そして、このような記録ディスクカートリッジ１は、専用のドライブ装置Ｄ（図６参照）に、その前側から挿入されて使用される。
【００１７】
＜カートリッジケース１０＞
カートリッジケース１０は、図１に示すように、記録ディスクメディア３０を収容するための厚さの薄い箱状体である。そして、カートリッジケース１０は、前端部１０ａが平面視で円弧（アーチ）状に形成されるとともに、後端部１０ｂ、右端部１０ｃ及び左端部１０ｄが平面視で略直線状に形成されている。なお、後端部１０ｂの中間部は、その両側に比してやや後側に膨らんでおり、記録ディスクカートリッジ１をドライブ装置Ｄから取り出す際に把持し易くなっている（図６参照）。
【００１８】
また、カートリッジケース１０は、その内部に収容された記録ディスクメディア３０を外部に臨ませるための、平面視でくさび形（中心角が略９０°の略扇形）に切り欠かれたアクセス用開口部１０１（ケース開口）を有している。なお、このアクセス用開口部１０１は、ドライブ装置ＤのスイングアームＳＡ（図６参照）の動作に干渉しない形状となっている。
【００１９】
このようなカートリッジケース１０は、図２に示すように、互いに対向して配置される金属製の上シェル１１及び下シェル１２と、この上シェル１１及び下シェル１２の間に介在してカートリッジケース１０の周壁となるプラスチック製のフレーム部材１３と、を備えて構成されている。上シェル１１及び下シェル１２と、フレーム部材１３とは、図４に示すように、フレーム部材１３にボス１６を設けるとともに、上シェル１１及び下シェル１２にボス孔１５を設け、ボス１６をボス孔１５に嵌合した状態でボス１６の先端をかしめた状態で固定されている。
【００２０】
［上シェル１１、下シェル１２］
上シェル１１は、主に、カートリッジケース１０の上壁を構成する部材である。下シェル１２は、主に、カートリッジケース１０の下壁を構成する部材である。このような上シェル１１及び下シェル１２は、例えばステンレス鋼等の金属プレートが、打ち抜き加工され、後記するように折り曲げ加工されることで、所定の形状に形成されている。
【００２１】
上シェル１１は、その前側左寄りの部分に、平面視でくさび形に切り欠かれたアクセス用開口部１１１を有している。これと同様に、下シェル１２は、その前側左寄りの部分に、平面視でくさび形に切り欠かれたアクセス用開口部１２１を有している。そして、アクセス用開口部１１１とアクセス用開口部１２１とで、前記したカートリッジケース１０のアクセス用開口部１０１が構成されている。
【００２２】
また、上シェル１１は、その右側に、金属プレートを折り曲げ加工して一体形成された平面視直線状の折り曲げ部１１２ａを有しており、その左側に、折り曲げ部１１２ｂを有している。これと同様に、下シェル１２は、その右側に折り曲げ部１２２ａを、その左側に折り曲げ部１２２ｂを有している。
そして、カートリッジケース１０が組み立てられたときに、折り曲げ部１１２ａと折り曲げ部１２２ａが重なり合って、カートリッジケース１０の右端部１０ｃにおける周壁の一部を構成するようになっている。これと同様に、折り曲げ部１１２ｂと折り曲げ部１２２ｂとが重なり合って、左端部１０ｄにおける周壁の一部を構成するようになっている。
【００２３】
さらに、上シェル１１は、その中央部に、ロータリシャッタ２０を回動可能に止め付けるセンタピン５０と係合する係合孔１１３を有している。
【００２４】
一方、下シェル１２は、その中央部に、記録ディスクメディア３０のハブ３２を外部に臨ませるハブ孔１２３を有している。そして、記録ディスクカートリッジ１がドライブ装置Ｄに装着された際に、このハブ孔１２３を介して、ドライブ装置Ｄのスピンドル（図示省略）が、ハブ３２に係合するようになっている。
また、下シェル１２は、ロータリシャッタ２０のシャッタノブ２４の軌道に沿って形成されたガイド孔１２４と、ハブ孔シャッタ４０を軸支するための内側（記録ディスクメディア３０側）に突出した２つの回動軸部１２５ａ，１２５ｂとを有している。
【００２５】
なお、本実施形態においては、上シェル１１及び下シェル１２は、複数のボス孔１５を有している（図２、図５参照）。
図４にも示すように、ボス孔１５は、上シェル１１及び下シェル１２に形成された断面円形の貫通孔であって、テーパ部１５ａと円筒口１５ｂから構成されている。
テーパ部１５ａは上シェル１１及び下シェル１２の厚み方向（記録ディスクメディア３０の軸方向）中間部から外側（上シェル１１の場合は上側、下シェル１２の場合は下側）面に亘って形成されており、記録ディスクメディア３０側から離反するに連れて拡径し、円錐台状を呈している。一方、円筒口１５ｂは、上シェル１１及び下シェル１２の中間部から内側（フレーム部材１３側）面に亘って同径に形成されている。
【００２６】
また、上シェル１１及び下シェル１２の寸法は、従来の記録ディスクカートリッジよりも、記録ディスクメディア３０の半径方向において、後記するフレーム部材１３における当接部１４の幅分（図４のｗに相当）だけ小さい。これは前記したドライブ装置Ｄに装填するために、記録ディスクカートリッジ１の大きさを変えないためである。
【００２７】
［フレーム部材１３］
フレーム部材１３は、図２に示すように、主に前端部１０ａの周壁となるアーチ状フレーム１３１と、主に後端部１０ｂの周壁となるベースフレーム１３２と、主に左端部１０ｄの前側の周壁の一部となるＶノッチ部材１３３と、を備えて構成されている。
アーチ状フレーム１３１の内壁面１３１ａ（記録ディスクメディア３０側の面）は、ロータリシャッタ２０の外形に沿って円弧状に形成されており、アーチ状フレーム１３１の外壁面１３１ｂ（記録ディスクカートリッジ１の外側の面）は、カートリッジケース１０の前端部１０ａの形状に沿って平面視で円弧状に形成されている。これと同様に、ベースフレーム１３２の内壁面１３２ａ（記録ディスクメディア３０側の面）は、ロータリシャッタ２０の外形に沿って円弧状に形成されており、ベースフレーム１３２の外壁面１３２ｂ（記録ディスクカートリッジ１の外側の面）はカートリッジケース１０の後端部１０ｂの形状に沿って平面視で略直線形状に形成されている。
また、アーチ状フレーム１３１は、下向きに開口し、カートリッジケース１０の内部と外部を連通させる係合溝１３１ｅ（図３参照）を有している。この係合溝１３１ｅは、後記するロック片７０が係合する溝である。
Ｖノッチ部材１３３は、閉方向に付勢されるロータリシャッタ２０を閉位置で止めるストッパとしての役割と、ドライブ装置Ｄとの係合部としての役割とを備える部材であり、左端部１０ｄの前側に配置されている。
【００２８】
なお、フレーム部材１３であるアーチ状フレーム１３１、ベースフレーム１３２、Ｖノッチ部材１３３には、ボス孔１５と係合するためのボス１６が、上シェル１１及び下シェル１２のボス孔１５に対応する位置に設けられている（図２、図５参照）。
【００２９】
また、フレーム部材１３に設けられたボス１６の高さは、かしめた後に上シェル１１及び下シェル１２から突出しないような高さに形成されている（図４参照）。
【００３０】
［当接部１４］
さらに、アーチ状フレーム１３１の外縁、ベースフレーム１３２の外縁及びＶノッチ部材１３３の外縁には、上シェル１１及び下シェル１２のそれぞれの端縁に当接する当接部１４が設けられている。当接部１４は、フレーム部材１３の外壁面に沿って、記録ディスクカートリッジ１の厚み方向（記録ディスクメディア３０の軸方向）に突出している（図４、図５参照）。当接部１４は、上シェル１１及び下シェル１２の端縁に当接しており、塵埃などが侵入できないようになっている。
また、本実施形態においては、当接部１４は、フレーム部材１３と一体に形成されており、図４に示すように、当接部１４の高さｔ’が、上シェル１１及び下シェル１２の厚さｔ以上の寸法となるように設定されている。
さらにまた、当接部１４は、記録ディスクメディア３０の半径方向に向かって、上シェル１１及び下シェル１２の端縁から所定の幅ｗで形成されている。
【００３１】
＜ロータリシャッタ２０＞
ロータリシャッタ２０は、アクセス用開口部１０１（図１参照）を開閉するためのシャッタであり、中空構造の略円盤形状に形成されている。そして、ロータリシャッタ２０の中空部に、記録ディスクメディア３０が回転自在に収容されている（図６参照）。
【００３２】
ロータリシャッタ２０は、図２に示すように、記録ディスクメディア３０を外部に臨ませる切欠部２０１を有している（図６参照）。なお、切欠部２０１は、カートリッジケース１０のアクセス用開口部１０１と略同形状となっている。
そして、ロータリシャッタ２０は上シェル１１の中央部付近にセンタピン５０によって回動自在に固定されている。
【００３３】
さらに説明すると、ロータリシャッタ２０が閉位置にある場合、ロータリシャッタ２０の切欠部２０１と、カートリッジケース１０のアクセス用開口部１０１とが周方向にずれ、ロータリシャッタ２０がカートリッジケース１０のアクセス用開口部１０１を閉じるようになっている（図１、図３、図６参照）。
これに対し、ロータリシャッタ２０が開位置にある場合、記録ディスクカートリッジ１の厚み方向（記録ディスクメディア３０の軸方向）において、切欠部２０１とアクセス用開口部１０１とが一致し、ロータリシャッタ２０がアクセス用開口部１０１を開くようになっている。そして、このようにアクセス用開口部１０１が開かれると、記録ディスクメディア３０が外部に臨むようになっている（図６参照）。
【００３４】
また、ロータリシャッタ２０は、図示しない付勢手段（例えば渦巻きばね）によって、閉方向（図３、矢印Ａ１参照）に付勢されている。そして、このように閉方向に付勢されたロータリシャッタ２０は、記録ディスクカートリッジ１がドライブ装置Ｄに挿入される前の通常時では、周方向において、Ｖノッチ部材１３３に当接することで閉位置に配置され、アクセス用開口部１０１を閉じるようになっている（図１、図３、図６参照）。
ちなみに、本発明において、前記付勢手段は必須の構成要素ではなく、ドライブ装置Ｄ（図３参照）から記録ディスクカートリッジ１を抜き出す際に、ロータリシャッタ２０が閉方向Ａ１に回動するように、ドライブ装置Ｄ側にシャッタノブ２４の係止手段を設けることによって、前記付勢手段は省略することができる。
【００３５】
このようなロータリシャッタ２０は、図２に示すように、金属プレートからなる上シャッタ２１及び下シャッタ２２と、これらの間に介在してロータリシャッタ２０の周壁を構成する合成樹脂製のシャッタウォール２３と、を備えて構成されている。
【００３６】
［上シャッタ２１、下シャッタ２２］
上シャッタ２１は、ロータリシャッタ２０の上壁を構成する部材であり、くさび形に切り欠かれた切欠部２１１を有している。下シャッタ２２は、ロータリシャッタ２０の下壁を構成する部材であり、くさび形に切り欠かれた切欠部２２１を有している。
そして、切欠部２１１と切欠部２２１とで、前記したロータリシャッタ２０の切欠部２０１が構成されている。
【００３７】
また、上シャッタ２１は、その中央部に、前記したセンタピン５０を挿通させるための挿通孔２１２を有している。
【００３８】
下シャッタ２２は、その中央部に、記録ディスクメディア３０の後記するハブ３２を外部に臨ませるためのハブ孔２２２を有している。
また、下シャッタ２２の下シェル１２側には、ハブ孔シャッタ４０の係合長孔４１３に係合する係合突起２２３ａと、係合長孔４２３に係合する係合突起２２３ｂとが形成されている。そして、このように、係合突起２２３ａが係合長孔４１３に、係合突起２２３ｂが係合長孔４２３に、それぞれ係合することで、ロータリシャッタ２０の回動に連動して、ハブ孔シャッタ４０が回動するようになっている。
【００３９】
さらに、下シャッタ２２の下面には、ロータリシャッタ２０を回動させるためのシャッタノブ２４が取り付けられている（図３参照）。このシャッタノブ２４は、カートリッジケース１０の下シェル１２に形成されたガイド孔１２４を通って、記録ディスクカートリッジ１の下面から突出している（図１（ｂ）参照）。そして、記録ディスクカートリッジ１がドライブ装置Ｄに挿入される際に、シャッタノブ２４がドライブ装置Ｄのシャッタノブ係止部Ｄ１に係止されるようになっている（図６参照）。
【００４０】
さらにまた、下シャッタ２２は、その一部が上側に折り曲げ加工されることで一体に形成されたロック片７０（ロック機構）を備えている。ロック片７０は、記録ディスクカートリッジ１の挿入前である通常時において、ロータリシャッタ２０を閉位置でロックするためのものである。
具体的には、ロック片７０は、下シャッタの側面から、その径方向外側に向かって徐々に離れるように延出した細長の金属片である。ロック片７０の先端部７１は、径方向内側に向かってやや屈曲している（図３参照）。
【００４１】
そして、記録ディスクカートリッジ１がドライブ装置Ｄに挿入される前の通常時、ロータリシャッタ２０が閉位置にある場合、ロック片７０の先端部７１は、アーチ状フレーム１３１の係合溝１３１ｅ（図３参照）に係合し、ロータリシャッタ２０が回動しないようになっている。
【００４２】
また、ロック片７０の先端部７１は、係合溝１３１ｅを介して、記録ディスクカートリッジ１の右側方に臨んでいる。そして、記録ディスクカートリッジ１がドライブ装置Ｄ（図６参照）に挿入されると、ドライブ装置Ｄ内のロック解除ピン（図示省略）が、ロック片７０の先端部７１を径方向内側に押し（図３の矢印Ａ６参照）、ロック片７０と係合溝１３１ｅとの係合が解除され、ロータリシャッタ２０が回動可能となるように構成されている。
【００４３】
なお、上シャッタ２１及び下シャッタ２２のフレキシブルディスク３１（記録ディスクメディア３０）側には、ライナ６０，６０が固定されている（図２参照）。このライナ６０，６０は、記録ディスクメディア３０をクリーニングすると共に、記録ディスクメディア３０を保護するものであり、例えば、不織布などから形成されている。
【００４４】
［シャッタウォール２３］
シャッタウォール２３は、ロータリシャッタ２０の周壁を構成する部材であり、図２に示すように、ロータリシャッタ２０の切欠部２０１に相当する部分が切り欠かれた、平面視「Ｃ」字形状の樹脂製の部材である。そして、シャッタウォール２３の上下には、上シャッタ２１と下シャッタ２２とが、カートリッジケース１０と同様に、適宜な方法によって固定されており、このようなシャッタウォール２３が上シャッタ２１と下シャッタ２２との間に介在されることにより、記録ディスクメディア３０を収容するスペースが形成されている。
【００４５】
＜記録ディスクメディア３０＞
記録ディスクメディア３０は、データを記録する記録媒体であり、本実施形態では、図１に示すように、フレキシブルディスク３１と、このフレキシブルディスク３１を支持するハブ３２と、を備えて構成されている。
【００４６】
フレキシブルディスク３１は、例えば、ポリエステルシート等からなる円盤状の支持体の両面に磁性層等の記録層を形成したものである。ハブ３２は、フレキシブルディスク３１を支持する金属製の円筒状部材である。また、ハブ３２は、上面にフレキシブルディスク３１の取り付け部（図示省略）を備えるとともに、下面にドライブ装置Ｄ（図６参照）のスピンドル（図示省略）にチャックされるチャック部（図示省略）を備えている。
【００４７】
＜ハブ孔シャッタ４０＞
図２に戻って説明を続ける。
ハブ孔シャッタ４０は、下シェル１２とハブ３２との間の隙間Ｓ（図６参照）を開閉するシャッタであり、第１シャッタ４１と、第２シャッタ４２とを備えて構成されている。なお、ハブ孔シャッタ４０は、ロータリシャッタ２０によるアクセス用開口部１０１の開閉に連動して、隙間Ｓを開閉するようになっている。
【００４８】
第１シャッタ４１及び第２シャッタ４２は、それぞれ、平面視で半円状の板状部材である。第１シャッタ４１は、その一方側に、軸孔４１１を有している。同様に、第２シャッタは、その一方側に、軸孔４２１を有している。そして、軸孔４１１には、下シェル１２の内側面に設けられた回動軸部１２５ａが差し込まれており、同様に、軸孔４２１には下シェル１２の回動軸部１２５ｂが差し込まれている。このようにして、第１シャッタ４１は回動軸部１２５ａに回動自在に軸支されており、第２シャッタ４２は回動軸部１２５ｂに回動自在に軸支されている。
【００４９】
また、第１シャッタ４１は、その他方側に、ハブ３２と嵌り合うように半円形状に切り欠かれた嵌合部４１２を有している。同様に、第２シャッタは、その他方側に、嵌合部４２２を有している。そして、記録ディスクカートリッジ１がドライブ装置Ｄに挿入される前の通常時では、第１シャッタ４１と第２シャッタ４２とで、ハブ３２を、その両側から挟むと共に、隙間Ｓを閉じるようになっている。
【００５０】
さらに、第１シャッタ４１は、下シャッタ２２の下側面に設けられた係合突起２２３ａが係合する係合長孔４１３を有している。同様に、第２シャッタ４２は、係合突起２２３ｂが係合する係合長孔４２３を有している。なお、係合長孔４１３，４２３の平面視における形状は、後記するように、ロータリシャッタ２０と一体に回動する係合突起２２３ａ，２２３ｂの回動により、第１シャッタ４１及び第２シャッタ４２が回動し、ハブ孔シャッタ４０が隙間Ｓを開閉するように設計されている。
≪記録ディスクカートリッジの作用効果≫
次に、記録ディスクカートリッジ１の動作について適宜図面を参照しながら説明しつつ、記録ディスクカートリッジ１の作用効果について説明する。
【００５１】
＜ロータリシャッタ２０の動作＞
ロータリシャッタ２０は、図６右側に示すように、記録ディスクカートリッジ１の通常時（ドライブ装置Ｄへの挿入前）において、閉位置に配置されており、アクセス用開口部１０１が閉じられている。さらに説明すると、通常時において、カートリッジケース１０のアクセス用開口部１０１と、ロータリシャッタ２０の切欠部２０１とは、一致しておらず、アクセス用開口部１０１は閉状態となっている。これにより、アクセス用開口部１０１からカートリッジケース１０内への塵埃の侵入が防止されており、その結果として、記録ディスクメディア３０等が保護されている。
なお、このようにロータリシャッタ２０が閉位置に配置される場合、シャッタノブ２４は、下シェル１２のガイド孔１２４の前方に位置している。
【００５２】
そして、記録ディスクカートリッジ１をドライブ装置ＤのカートリッジスロットＤＳに挿入すると、ドライブ装置Ｄのロック解除ピン（図示省略）がロック片７０の先端部７１を径方向内側に押し、ロック片７０によるロータリシャッタ２０のロックが解除された後（図３、矢印Ａ６参照）、シャッタノブ２４がドライブ装置Ｄのシャッタノブ係止部Ｄ１に引っ掛かって係止される。このようにシャッタノブ２４がシャッタノブ係止部Ｄ１に係止されたまま、記録ディスクカートリッジ１をさらに挿入すると、シャッタノブ２４はガイド孔１２４に沿って摺動する（図３、矢印Ａ２参照）。
【００５３】
そうすると、シャッタノブ２４が固定されたロータリシャッタ２０は、カートリッジケース１０内でセンタピン５０を軸として回動する（図３、矢印Ａ３参照）。つまり、ロータリシャッタ２０がカートリッジケース１０に対して相対的に回動する。このようなロータリシャッタ２０の回動に伴って、アクセス用開口部１０１が、ドライブ装置Ｄ内で徐々に開く。
【００５４】
そして、図６左側に示すように、記録ディスクカートリッジ１が、完全に挿入され、ドライブ装置Ｄに装着されると、ロータリシャッタ２０の切欠部２０１とカートリッジケース１０のアクセス用開口部１０１とが一致し、ロータリシャッタ２０が開位置に配置され、アクセス用開口部１０１が完全に開かれる。その結果として、記録ディスクメディア３０が、切欠部２０１及びアクセス用開口部１０１を介して、ドライブ装置Ｄ内で、外部に臨んだ状態となる。そして、ドライブ装置ＤにおけるスイングアームＳＡのヘッドは、記録ディスクメディア３０に書き込み／読み取り可能となる。
なお、このようにロータリシャッタ２０が開位置に配置される場合、ロータリシャッタ２０に固定されたシャッタノブ２４は、下シェル１２のガイド孔１２４の後方に位置する。
【００５５】
また、記録ディスクカートリッジ１がドライブ装置Ｄから取り出されると、ロータリシャッタ２０が付勢手段（図示省略）によって閉方向に付勢され、閉位置に戻り、アクセス用開口部１０１を閉じる。そして、このようにロータリシャッタ２０が閉位置に戻ると、ロック片７０がロータリシャッタ２０をロックする（図３参照）。
【００５６】
＜ハブ孔シャッタ４０の動作＞
次に、このようなロータリシャッタ２０の動作に連動するハブ孔シャッタ４０について説明する。
ハブ孔シャッタ４０は、図６右側に示すように、記録ディスクカートリッジ１の通常時（ドライブ装置Ｄへの挿入前、ロータリシャッタ２０が閉位置にあるとき）において、カートリッジケース１０の下シェル１２とハブ３２との、隙間Ｓを塞いでいる。さらに説明すると、ハブ孔シャッタ４０を構成する第１シャッタ４１と第２シャッタ４２とは、下シェル１２と記録ディスクメディア３０との間でハブ３２を挟んでおり、隙間Ｓを塞いでいる。これにより、この隙間Ｓからカートリッジケース１０内への塵埃の侵入が防止されており、その結果として、記録ディスクメディア３０等が保護されている。
【００５７】
そして、記録ディスクカートリッジ１がドライブ装置Ｄに挿入されて、前記したように、ロータリシャッタ２０が回動すると、この回動に連動して、ハブ孔シャッタ４０が隙間Ｓを開く。さらに説明すると、ロータリシャッタ２０が回動すると、下シャッタ２２の係合突起２２３ａ、２２３ｂも回動する（図３、矢印Ａ４、Ａ４参照）。
【００５８】
ここで、前記したように、係合突起２２３ａは第１シャッタ４１の係合長孔４１３と係合しているため、回動する係合突起２２３ａは係合長孔４１３内を摺動し、第１シャッタ４１が下シェル１２の回動軸部１２５ａを軸として回動する（図３、矢印Ａ５参照）。
また、係合突起２２３ｂは第２シャッタ４２の係合長孔４２３と係合しているため、回動する係合突起２２３ｂは係合長孔４２３内を摺動し、第２シャッタ４２が下シェル１２の回動軸部１２５ｂを軸として回動する（図３、矢印Ａ５参照）。
【００５９】
このように第１シャッタ４１及び第２シャッタ４２がそれぞれ回動すると、ハブ孔シャッタ４０は隙間Ｓを開き、これと共に、ハブ孔シャッタ４０によるハブ３２の挟持状態は解除される（図６左側参照）。その結果として、ハブ３２及びこれを備える記録ディスクメディア３０は、ハブ３２にチャックするドライブ装置Ｄのスピンドル（図示省略）により、良好に回転することができる。
【００６０】
なお、記録ディスクカートリッジ１がドライブ装置Ｄから取り出されると、閉位置に戻るロータリシャッタ２０に連動して、ハブ孔シャッタ４０は隙間Ｓを閉じる。
【００６１】
＜フレーム部材１３の作用効果＞
上シェル１１及び下シェル１２を構成する金属プレートの曲線部分に絞り加工を極力施すことなく、フレーム部材１３によって壁部を形成したので（図２参照）、上シェル１１及び下シェル１２の平坦面には、反りやうねり等の歪みが生じにくい。したがって、記録ディスクメディア３０の回転動作が安定し、高密度記録化を図ることができるとともに、加工歪による不良品の発生を抑え、生産性の向上及びコストの削減を図ることが可能である。
【００６２】
＜当接部１４の作用効果＞
本実施形態においては、当接部１４が上シェル１１及び下シェル１２の端縁に当接する構造となっているため（図４参照）、仮に上シェル１１の下面及び下シェル１２の上面と、フレーム部材１３の上下面との間で隙間が形成されたとしても、塵埃の侵入を防ぐことができる。これにより、記録ディスクメディア３０への高密度記録が可能となる。
さらに、本実施形態においては、誤って記録ディスクカートリッジ１を落下させた場合であっても、当接部１４が衝撃をある程度吸収するために、上シェル１１及び下シェル１２の変形や破損を防止することができるとともに、当接部１４によって剪断力が受け持たれるため、剪断ズレによるボス１６の切断を防止することができる。
なお、当接部１４の高さｔ’は、上シェル１１及び下シェル１２の厚さｔと同一の寸法であってもよい。同一の寸法とした場合においても、当接部１４が衝撃をある程度吸収するために、上シェル１１及び下シェル１２の変形や破損を防止することができる
【００６３】
ここで剪断ズレについて、図７を参照して説明する。図７は上シェル１１と下シェル１２の間に、当接部１４（図４参照）を有しないフレーム部材１３を配置した記録ディスクカートリッジ１を示した断面図である。図７に示すように、フレーム部材１３が上シェル１１及び下シェル１２の端縁よりも外側に出ている場合に、フレーム部材１３に衝撃（例えば、落下等）が加わると、上シェル１１及び下シェル１２に対して、フレーム部材１３が相対移動して、ボス１６が切断されてしまう現象をいう（図７（ｂ）参照）。この現象は、特にボス孔１５の形状が図７（ａ）に示すように、上シェル１１及び下シェル１２の外側に面した穴の口径が内側に向かうにつれて縮径するような構造の場合には、顕著に発生する。
【００６４】
本実施形態においては、幅ｗ（図４参照）の寸法が大きいほど、記録ディスクカートリッジ１が落下した際に当接部が受け持つ衝撃の割合が大きくなり、ボス１６にかかる負担を軽減できる。ここで、幅ｗの寸法はドライブ装置Ｄとの関係を考慮して、適宜変更が可能である。
さらに、本実施形態においては、当接部１４の高さｔ’が上シェル１１及び下シェル１２の厚さｔよりも寸法が大きい（図４参照）。これにより、例えば金属プレートを打ち抜き加工して上シェル１１及び下シェル１２を形成した際に生じる金属バリで、手を傷つける可能性を少なくすることができる。
なお、当接部１４の高さｔ’は、上シェル１１及び下シェル１２の厚さｔよりも寸法が大きいことが望ましいが、これに限定されるものではなく、同一の寸法であってもよい。同一の寸法とした場合においても、当接部１４の高さｔ’が、上シェル１１及び下シェル１２の厚さｔよりも寸法が小さい場合に比べ、実効的に金属バリの影響を大幅に減らすことができる。
【００６５】
＜ボス孔１５とボス１６の作用効果＞
本実施形態においては、上シェル１１及び下シェル１２に複数のボス孔１５を、フレーム部材１３であるアーチ状フレーム１３１、ベースフレーム１３２及びＶノッチ部材１３３に、ボス孔１５と係合するためのボス１６を、上シェル１１及び下シェル１２のボス孔１５に対応する位置に設けたので、組み立て性を向上させ、かつ嵌合後にボス１６の頭をかしめることで、より強固に一体化させることができる（図２、図４、図５）。その結果、上シェル１１と下シェル１２に当接しているフレーム部材１３がずれず、かつ、塵埃の侵入を防止することで、記録再生エラーを防止できる。
【００６６】
また、本実施形態においては、上シェル１１及び下シェル１２に設けられたボス孔１５の形状を、記録ディスクカートリッジ１の外側の面に設けられた孔の口径が、記録ディスクメディア３０側の面に進むにつれて口径が縮径するように構成している(図４参照)ので、ボス１６の頭を熱や圧力等でかしめ、ボス１６の頭を記録ディスクメディア３０側の面の口径よりも大きくすることで、フレーム部材１３が、上シェル１１及び下シェル１２からずれたり抜けないように一体固着することができる。
【００６７】
さらに、本実施形態では、フレーム部材１３に設けられたボス１６の高さを、かしめた後に上シェル１１及び下シェル１２から突出しないような高さに形成している（図４参照）ので、ボス１６をかしめた後であっても、ボス１６が上シェル１１及び下シェル１２の外側の面から突出しないので、外観美の向上の他、突出したボス１６が、例えばドライブ装置Ｄに引っかかったり、突出したボス１６が何かに引っかかって落下する可能性を排除できる。
【００６８】
以上、本発明の好適な実施形態について説明したが、本発明は前記実施形態に限定されず、本発明の趣旨を逸脱しない範囲で、例えば次のように変更することもできる。
【００６９】
前記した実施形態では、当接部１４の高さが上シェル１１及び下シェル１２の厚さよりも寸法が大きいことを特徴としているが、これに限定されるものではなく、塵埃の侵入を防止できるのであれば上シェル１１及び下シェル１２の厚さと同じ寸法か、もしくは低くても構わない。
また、ボス孔１５及びボス１６を設けずに、接着剤などによって一体固着させてもよい。
【００７０】
また、前記した実施形態では、フレーム部材１３、当接部１４、ボス１６をプラスチックで形成しているが、これに限定されることなく、熱硬化性樹脂や熱可塑性樹脂などを適宜選択して形成することもできる。
【００７１】
また、前記した実施形態においては、プラスチックで形成されたフレーム部材１３とボス１６とを一体形成で設けているが、これに限定されるものではなく、別々に製造した後、接着剤などによって一体としてもよい。
【図面の簡単な説明】
【００７２】
【図１】本実施形態に係る記録ディスクカートリッジを示す斜視図であり、（ａ）は前方斜め上方からみた図、（ｂ）は後方斜め下方からみた図である。
【図２】本実施形態に係る記録ディスクカートリッジの分解斜視図である。
【図３】本実施形態に係る記録ディスクカートリッジを下方からみた平面図である。
【図４】図１のＸ−Ｘ矢視における断面図である。
【図５】図２にける上シェル及びフレーム部材の拡大図である。
【図６】本実施形態にかかる記録ディスクカートリッジをドライブ装置に挿入した状態を示す斜視図である。
【図７】上シェル及び下シェルとの間に当接部を有しないフレーム部材を配置した記録ディスクカートリッジの一例を示した断面図であり、（ａ）はフレーム部材に外力が加わる前の構造を示した図、（ｂ）は外力が加わった後の図である。
【図８】従来の記録ディスクカートリッジを示す斜視図であり、（ａ）は前方斜め上方から見た図、（ｂ）はカートリッジケースを前方斜め上方からみた図である。
【図９】上シェル及び下シェルとの間にフレーム部材を配置した記録ディスクカートリッジの断面図である。
【符号の説明】
【００７３】
１      記録ディスクカートリッジ
１０    カートリッジケース
１１    上シェル
１２    下シェル
１３    フレーム部材
１４    当接部
１５    ボス孔
１６    ボス
２０    ロータリシャッタ
３０    記録ディスクメディア
【図１】
2007141327.tif 000003
【図２】
2007141327.tif 000004
【図３】
2007141327.tif 000005
【図４】
2007141327.tif 000006
【図５】
2007141327.tif 000007
【図６】
2007141327.tif 000008
【図７】
2007141327.tif 000009
【図８】
2007141327.tif 000010
【図９】
2007141327.tif 000011